(57)【要約】【課題】ビデオ出力機能の付いた携帯電話デバイスを提供する。【解決手段】携帯電話デバイス内のデジタルカメラモジュールで撮影したデジタル画像またはメモリーカードに保存したデジタル画像を、ビデオデジタル／アナログ変換器によりアナログのビデオ信号に変換する。その後アナログのビデオ信号を表示のためにプロジェクターやテレビ受像器に送信する。【選択図】  図１
2005159432.tif 000002
【特許請求の範囲】
【請求項１】
デジタル画像を撮影するためのデジタルカメラ機能を有した携帯電話回路、および、
デジタル画像をアナログのビデオ出力信号に変換するために携帯電話回路に繋がったビデオデジタル／アナログ変換器
で構成していることを特徴とするビデオ出力機能付き携帯電話デバイス。
【請求項２】
携帯電話回路が、
ラジオ周波数信号を送受信するためのラジオ周波数ユニット、
デジタル画像の撮影に必要な機能総てを実行するためのデジタルカメラモジュール、
デジタル画像を保存するためのメモリーカード、
デジタル画像を表示するための表示ユニット、および、
ラジオ周波数ユニット、デジタルカメラモジュール、メモリーカード、表示ユニットおよびビデオデジタル／アナログ変換器に結合されたベース周波数プロセッサーであって、ラジオ周波数信号の送受信、デジタル画像の保存、デジタル画像の表示、ビデオデジタル／アナログ変換器からのアナログビデオ信号の出力をコントロールするベース周波数プロセッサー
で構成していることを特徴とする請求項１に記載の携帯電話デバイス。
【請求項３】
表示ユニットを液晶ディスプレー画面で構成することを特徴とする請求項２に記載の携帯電話デバイス。
【請求項４】
メモリーカードをＳＤメモリーカードで構成することを特徴とする請求項２に記載の携帯電話デバイス。
【請求項５】
メモリーカードをＭＭＣメモリーカードで構成することを特徴とする請求項２に記載の携帯電話デバイス。
【請求項６】
メモリーカードをＸＤメモリーカードで構成することを特徴とする請求項２に記載の携帯電話デバイス。
【請求項７】
メモリーカードをＭＳメモリーカードで構成することを特徴とする請求項２に記載の携帯電話デバイス。
【請求項８】
メモリーカードをミニＳＤメモリーカードで構成することを特徴とする請求項２に記載の携帯電話デバイス。
【請求項９】
アナログのビデオ信号をビデオ入力端子付き表示デバイスにより表示できることを特徴とする請求項１に記載の携帯電話デバイス。
【請求項１０】
表示デバイスをプロジェクターで構成することを特徴とする請求項９に記載の携帯電話デバイス。
【請求項１１】
表示デバイスをテレビ受像器で構成することを特徴とする請求項９に記載の携帯電話デバイス。
【発明の詳細な説明】
【技術分野】
【０００１】
本発明は携帯電話デバイスに関するものである。さらに言えば、本発明はビデオ出力機能の付いた携帯電話デバイスに関するものである。
【背景技術】
【０００２】
通信ネットワークの進歩に従い、種々のタイプの装置を使う人々の間で通信量が著しく増大している。近年において、エレクトロニクス機器が急速なペースで発展し、ＧＳＭ、ＣＤＭＡ、３Ｇのような色々な移動通信システムが生み出されたので、過去に例を見ないほどの数の使用者が携帯電話デバイスを通じて通信ネットワークに加わっている。
【０００３】
持ち運びのできる携帯電話の特徴を活かすために、デジタルカメラ付きのように追加的な機能がしばしば組み込まれる。しかしながら、デジタルカメラで撮影した画像はメモリーカードに保存するか、あるいはワイヤレス送信により他のデバイスに送信するだけであった。画像を表示するためのビデオ出力端子がないと、携帯電話デバイスのデジタルカメラ機能の有用性は制限される。
【発明の開示】
【発明が解決しようとする課題】
【０００４】
よって、本発明の課題はビデオ出力機能のついた携帯電話デバイスを提供することであり、それにより電話で撮影した或いはメモリーカードに保存したデジタル画像を、プロジェクターやテレビ受像器に送信することにより表示することができる。
【課題を解決するための手段】
【０００５】
このことおよび別のメリットを本発明の目的に従って達成するために、実施例および以下に記述しているように、本発明はビデオ出力機能の付いた携帯電話デバイスを提供する。携帯電話デバイスは携帯電話回路およびビデオデジタル／アナログ変換器で構成する。携帯電話回路には複数の画像を撮影ことができるデジタルカメラが組み込まれている。ビデオデジタル／アナログ変換器は携帯電話回路に繋がっており、撮影または保存されたデジタル画像をアナログのビデオ出力信号に変換する。
【０００６】
実施例において、携帯電話回路には更にラジオ周波数ユニット、デジタルカメラモジュール、メモリーカード、表示ユニット、ベース周波数プロセッサーが含まれている。ラジオ周波数ユニットはラジオの周波数信号を送受信する。デジタルカメラモジュールはデジタル画像撮影に必要な機能の総てを実行する。メモリーカードは撮影画像を保存するためのデバイスである。表示ユニットはデジタル画像を表示する。ベース周波数プロセッサーはラジオ周波数ユニット、デジタルカメラモジュール、メモリーカード、表示ユニット、ビデオデジタル／アナログ変換器に繋がっている。ベース周波数プロセッサーは、ラジオ周波数信号の送受信、デジタル画像の保存、表示ユニット上の画像表示、ビデオデジタル／アナログ変換器からのアナログビデオ信号の出力をコントロールする。
【０００７】
表示ユニットは液晶ディスプレー画面であってもよく、メモリーカードはＳＤメモリーカード、ＭＭＣメモリーカード、ＸＤメモリーカード、ＭＳメモリーカードあるいはミニＳＤメモリーカードであってもよい。ビデオデジタル／アナログ変換器からのアナログビデオ信号を集めて、ビデオ入力端子の付いたプロジェクターまたはテレビ受像器により表示することもできる。
【発明の効果】
【０００８】
簡単にいえば、本発明がビデオ出力端子付き携帯電話デバイスを提供することにより、携帯電話デバイスで撮影したデジタル画像またはメモリーカードに保存したデジタル画像を、プロジェクターまたはテレビ受像器に送信することができる。
【０００９】
前述の全般的な説明および以下の詳細な説明は例示的なものであり、請求項により本発明を更に説明する意図であることを理解願いたい。
【発明を実施するための最良の形態】
【００１０】
本発明の好ましい実施例を詳細に参考にしており、その例を添付の図に例示している。可能な限り、同じまたは類似の部品に関して参照番号を図および説明において使用している。
【００１１】
図１は、本発明の好ましい実施例によるビデオ出力機能付き携帯電話デバイスのブロックダイアグラムを示している。図１に示すように、携帯電話デバイス１００は携帯電話回路１１０およびビデオデジタル／アナログ変換器１２０で構成している。携帯電話回路１１０には更に、ラジオ周波数ユニット１１１、デジタルカメラモジュール１１２、メモリーカード１１３、表示ユニット１１４、ベース周波数プロセッサー１１５が含まれている。ベース周波数プロセッサー１１５は、ラジオ周波数ユニット１１１、デジタルカメラモジュール１１２、メモリーカード１１３、表示ユニット１１４およびビデオデジタル／アナログ変換器１２０に繋がっている。
【００１２】
ベース周波数プロセッサー１１５、ラジオ周波数ユニット１１１および液晶ディスプレー画面のような表示ユニット１１４は一緒で、携帯電話デバイスを働かせるために必要な機能の総てを実行する。言い換えれば、ベース周波数プロセッサー１１５は、ラジオ周波数ユニット１１１に対するラジオ周波数信号の送受信をコントロールし、表示ユニット１１４上に関連メッセージを示す。
【００１３】
デジタルカメラも携帯電話デバイス１００に組み込まれているので、ベース周波数プロセッサー１１５、デジタルカメラモジュール１１２、メモリーカード１１３および表示ユニット１１４は共に、デジタルカメラを働かせる機能の総てを実行する。言い換えれば、ベース周波数プロセッサー１１５およびデジタルカメラモジュール１１２を使って、写真を撮りデジタル画像を作り出すことができる。撮影されたデジタル画像はメモリーカード１１３に保存され、あるいは表示ユニット１１４上に表示される。別の方法として、保存されたデジタル画像はビデオデジタル／アナログ変換器に送られ、アナログのビデオ信号に変換される。そして、アナログのビデオ信号が携帯電話デバイスのビデオ出力端子を経由してプロジェクターやテレビ受像器に送られ、画像はプロジェクターまたはテレビ受像器上に表示される。
【００１４】
メモリーカード１１３は例えば、ＳＤメモリーカード、ＭＭＣメモリーカード、ＸＤメモリーカード、ＭＳメモリーカード、ミニＳＤメモリーカードであってもよい。
【００１５】
図２は、本発明によるビデオ出力付き携帯電話デバイスの実施例を示すダイアグラムを示している。図２に示すように、携帯電話デバイス２００のビデオ出力端子２０１およびプロジェクター２５０のビデオ入力端子２５１はケーブルを通じてお互いに接続している。よって、プロジェクター２５０を使って、携帯電話デバイス２００のメモリーカード（表示していない）内に保存されたデジタル画像を表示することができる。例えば、ユーザーに写真付きの簡単なレポートを提出しようとする企業のスタッフが、パワーポイントのソフトを使ってデータと写真を加工し、続いてメモリーカード内に保存するためにＪＰＥＧファイルにデータを変換することもできる。その後、メモリーカードをビデオ出力端子付き携帯電話デバイス２００に挿入し、レポートのデータをプロジェクター２５０上に表示することができる。携帯電話デバイスはノートブック型コンピューターと比べて遙かに持ち運び易いので、簡単なビジネス会話を便利に纏められる。
【００１６】
図３は、本発明によるビデオ出力付き携帯電話デバイスの別の実施例を示すダイアグラムである。図３に示すように、携帯電話デバイス３００のビデオ出力端子３０１およびテレビ受像器３５０のビデオ入力端子３５１はケーブルを通じてお互いに接続している。よって、テレビ受像器３５０を使って、携帯電話デバイス３００のメモリーカード（表示していない）に保存されたデジタル画像を表示することができる。例えば、携帯電話デバイス３００を使って、撮影したデジタル画像を友人や家族のために家でテレビ受像器３５０上に表示することができる。
【００１７】
本発明の適用範囲や精神から離れることなく、本発明の構造について種々の修正や変更を行えることは、当該分野で精通したものにとっては明らかである。前述の観点において、本発明の修正および変更が請求項の適用範囲および同等のものの範囲内にあるなら、本発明はそれをもカバーしている。
【００１８】
添付の図面は本発明を更に理解するためのものであり、この明細書に組み込まれ一部を構成している。図は本発明の実施例を例示しており、記述と共に本発明の原理を説明するためのものである。
【図面の簡単な説明】
【００１９】
【図１】本発明の好ましい実施例によるビデオ出力機能付き携帯電話デバイスのブロックダイアグラム。
【図２】本発明によるビデオ出力付き携帯電話デバイスの実施例を示す図。
【図３】本発明によるビデオ出力付き携帯電話デバイスの別の実施例を示す図。
【符号の説明】
【００２０】
１００    携帯電話デバイス
１１０    携帯電話回路
１１１    ラジオ周波数ユニット
１１２    デジタルカメラモジュール
１１３    メモリーカード
１１４    表示ユニット
１１５    ベース周波数プロセッサー
１２０    ビデオデジタル／アナログ変換器
２００    携帯電話デバイス
２０１    ビデオ出力端子
２５０    プロジェクター
２５１    ビデオ入力端子
３００    携帯電話デバイス
３０１    ビデオ出力端子
２５０    テレビ受像器
３５１    ビデオ入力端子
【図１】
2005159432.tif 000003
【図２】
2005159432.tif 000004
【図３】
2005159432.tif 000005